(57)【要約】  アラームトレンドサマリー表示システム及び表示方法は、アラームサマリーリストと共に機能するアラームトレンドリストを利用することができる。アラームトレンドリストにおける一組の行を、上から下に編成することができる。アラームトレンドリストの各行における一組のアラームインジケーターを、右から左に水平な配列で配置することができる。アラームインジケーターの組を、最新のアラームがアラームトレンドリストの右側に現れように整列させることができる。アラームトレンドリストにおいて特定のアラームインジケーターを選択することができ、それにより、該アラームがアクティブである場合に、アラームサマリーリストにおいて対応する項目を強調することができる。したがって、本システム及び方法により、オペレーターは、アラームが発生したとき、それらの順序、関係及び優先度を見ることができ、それは、オペレーターが不可避のアラーム洪水に対処するのを支援する。
2012513066.tif 000002
【特許請求の範囲】
【請求項１】
コンピューターで動作するアラームトレンドサマリー表示方法であって、
複数の強調機能及びフィルタリング機能を用いて、アラームサマリーリストと共にアラームトレンドリストをグラフィカル表示し、前記アラームトレンドリストの複数の行を上から下に編成するステップと、
前記アラームトレンドリストの前記複数の行における複数のアラームインジケーターを、右から左の水平配列で配置し、前記複数のアラームインジケーターを、最新のアラームが前記アラームトレンドリストの右側に現れるように整列させるステップと、
前記アラームトレンドリストの前記複数のアラームインジケーターのうちの少なくとも１つを選択するステップであって、それにより、該アラームがアクティブである場合、対応するアラーム記述項目が前記アラームサマリーリストにおいて強調されて表示されるようにし、それにより、オペレーターが、前記アラームが発生したとき、それらの順序、関係及び優先度を見ることができ、それが、前記オペレーターが不可避のアラーム洪水に対処するのに役立つ、選択するステップと
を含む、方法。
【請求項２】
前記アラームトレンドリストの前記複数のアラームインジケーターの上でマウスがポイントされると、前記アラームトレンドリストのツールチップフィールドに、タグ名と共に完全なアラーム記述を表示するステップ
をさらに含む、請求項１に記載の方法。
【請求項３】
前記複数の行は、グレーの帯、色の選択肢及びフォントスタイル／サイズを含む、請求項１に記載の方法。
【請求項４】
前記アラームトレンドリストは、ロケーション毎に少なくとも２つ又は３つの行を含む、請求項１に記載の方法。
【請求項５】
コンピューターで動作するアラームトレンドサマリー表示方法であって、
複数の強調機能及びフィルタリング機能を用いて、アラームサマリーリストと共にアラームトレンドリストをグラフィカル表示し、前記アラームトレンドリストの複数の行を上から下に編成するステップと、
前記アラームトレンドリストの前記複数の行における複数のアラームインジケーターを、右から左の水平配列で配置し、前記複数のアラームインジケーターを、最新のアラームが前記アラームトレンドリストの右側に現れるように整列させるステップと、
前記アラームトレンドリストの前記複数のアラームインジケーターの上でマウスがポイントされると、前記アラームトレンドリストのツールチップフィールドに、タグ名と共に完全なアラーム記述を表示するステップと、
前記アラームトレンドリストの前記複数のアラームインジケーターのうちの少なくとも１つを選択するステップであって、それにより、該アラームがアクティブである場合、対応するアラーム記述項目が前記アラームサマリーリストにおいて強調されて表示されるようにし、それにより、オペレーターが、前記アラームが発生したとき、それらの順序、関係及び優先度を見ることができ、それが、前記オペレーターが不可避のアラーム洪水に対処するのに役立つ、選択するステップと
を含む方法。
【請求項６】
前記複数の行は、グレーの帯、色の選択肢及びフォントスタイル／サイズを含む、請求項５に記載の方法。
【請求項７】
前記アラームトレンドリストは、ロケーション毎に少なくとも２つ又は３つの行を含む、請求項５に記載の方法。
【請求項８】
前記アラームは、機器階層のいかなるレベルにもスケーラブルであるように、前記ロケーションによって論理的に編成される、請求項５に記載の方法。
【請求項９】
前記タグ名は、現在のポイント値と設定ポイントからのずれとを含み、前記アラームトレンドリストは、アラーム優先度記号に埋め込まれるアラームタイプも含む、請求項５に記載の方法。
【請求項１０】
トレンドサマリーディスプレイを備えるアラーム監視システムであって、
コンピューターと、
前記コンピューターに接続され、複数の強調機能及びフィルタリング機能を用いて、アラームサマリーリストと共にアラームトレンドリストをグラフィカル表示するように、かつ前記アラームトレンドリストの複数の行を上から下に編成するように構成されたグラフィカルディスプレイと、
前記コンピューター内で動作し、前記アラームトレンドリストの前記複数の行における複数のアラームインジケーターを、右から左の水平配列で配置するように、かつ前記複数のアラームインジケーターを、最新のアラームが前記アラームトレンドリストの右側に現れるよう整列させるように構成された、アラームトレンドサマリーソフトウェアと、
前記コンピューターに接続され、前記アラームトレンドリストの前記複数のアラームインジケーターの上でマウスがポイントされると、前記アラームトレンドリストのツールチップフィールドにタグ名と共に完全なアラーム記述を表示するように構成されたディスプレイと、
ユーザーが前記アラームトレンドリストの前記複数のアラームインジケーターのうちの少なくとも１つを選択することを可能にし、それにより、該アラームがアクティブである場合、対応するアラーム記述項目が前記アラームサマリーリストにおいて強調されて表示されるようにし、それにより、オペレーターが、前記アラームが発生したとき、それらの順序、関係及び優先度を見ることができ、それが、前記オペレーターが不可避のアラーム洪水に対処するのに役立つように構成されたユーザーインターフェースと、
を具備する、アラーム監視システム。
【発明の詳細な説明】
【技術分野】
【０００１】
[0001]実施の形態は、包括的には、データ処理システム及びデータ処理方法に関する。実施の形態はまた、概してコンピューター及び同様の技術の分野に関し、特に、この分野で利用されるソフトウェアに関する。さらに、実施の形態は、アラームトレンドサマリー（alarm trend summary）表示システム及び表示方法に関する。
【背景技術】
【０００２】
[0002]ファクトリーオートメーション及び／又はプラントの分野では、プロセス制御アラームシステムが利用されている。１つのプロセス制御アラームシステムは、工場及び／又はプラントの分散制御システム（ＤＣＳ）で採用されている。プラント内では、さまざまな製造プロセスが機械及び機器を利用し、それら機械及び機器を、多数のプロセス制御アラームによって常に監視することができる。特に、これらのプロセス制御アラームは、オペレーターに対し、プロセスがプロセス制御許容限界を超えたことを通知する。
【０００３】
[0003]今日、オペレーターが全プロセス制御アラームと１つ又は複数の機械の関連する変数とを理解するのを支援するために、ソフトウェアインターフェース、特にＧＵＩ（グラフィカルユーザーインターフェース）が利用されている。プロセス制御アラーム変数は、ＧＵＩインターフェースを介して設定され監視される。こうしたアラームシステムでは、オペレーターは、短期間の間に多数のアラームを受け取る可能性があり、それは「アラーム洪水（alarm flood）」と呼ばれる。アラーム洪水は、所与の期間に、人間のオペレーターが有効に応答することができるよりも多くのアラームを提示する現象である。こうしたアラーム洪水は、本質的に、オペレーターが対処するには困難であり、そのため、現行のシステムは、オペレーターが、多数のアラームをもたらす可能性のある異常な状況又は危機状況を認識し処置するのをサポートしない。
【０００４】
[0004]１つの既知のアラーム管理法では、アラームシステムは、アラームサマリー表示を作成して、改善されたアラーム合理化及びアラームシステム保守を実施することによってアラームシステムの性能を向上させることができる。これらの取組みは、より優れたアラームの構成と抑制技法の有効な使用とにより、オペレーターのコンソールにおいてアラーム洪水が表示される可能性を低減することに対し多大な影響を与えることができる。しかしながら、アラームサマリーディスプレイでさえも、オペレーターを支援するためにアラーム洪水の発生を有効になくすことはない。
【０００５】
[0005]従来のアラームシステムの大部分は、ＤＣＳシステムにおけるアラームの従来のアラームサマリーリスト（alarm summary list）の視角化又は設計について述べている。これらのアラームサマリーリストは、アラームをいかに構成又は管理するかに関するが、オペレーターがＤＣＳシステムにおいてアラーム洪水を容易に処理するのを支援しない。こうしたアラームシステムは、アラームの負荷を、人間のオペレーターが知的に処理し物理的に応答することができるレベルまで低減するには十分ではない。したがって、オペレーターがこれらの不可避のアラーム洪水に対処するのに役立つ有効な表示設計技法を提供することが望ましい。
【発明の概要】
【発明が解決しようとする課題】
【０００６】
[0006]上述した問題に対処するために、人間のオペレーターがアラーム洪水に対処するのを支援する、改善されたアラームトレンドサマリー表示システム及び方法が必要であると考えられる。本明細書に開示する改善されたシステム及び方法は、これら及び他の引き続き存在する必要性に対処することができると考えられる。
【課題を解決するための手段】
【０００７】
[0007]以下の概要は、本発明に一意の革新的な特徴のうちのいくつかの理解を容易にするために提供するものであり、完全な説明であるようには意図されていない。本明細書に開示する実施の形態のさまざまな態様の完全な理解は、明細書全体、特許請求の範囲、図面及び要約書を全体として捉えることによって得ることができる。
【０００８】
[0008]したがって、本発明の一態様は、アラーム管理に関する改善されたデータ処理方法、システム及びコンピューター使用可能媒体を提供することである。
[0009]本発明の別の態様は、改善されたアラームトレンドサマリー表示システム及び表示方法を提供することである。
【０００９】
[0010]本発明のさらなる態様は、分散制御システム（ＤＣＳ）システムと関連して利用されるアラームトレンドサマリーディスプレイを提供することである。
[0011]ここで、上述した態様並びに他の目的及び利点を、本明細書で説明するように達成することができる。改善されたアラームトレンドサマリー表示システム及び表示方法は、アラームサマリーリストと共に機能するアラームトレンドリスト（alarm trend list）を利用することができる。アラームトレンドリストにおける一組の行を、上から下に編成することができる。アラームトレンドリストの各行における一組のアラームインジケーターを、右から左に水平な配列で配置することができる。アラームインジケーターの組を、最新のアラームがアラームトレンドリストの右側に現れるように整列させることができる。アラームトレンドリストにおいて特定のアラームインジケーターを選択することができ、それにより、該アラームがアクティブである場合に、アラームサマリーリストにおいて対応する項目を強調することができる。したがって、本システム及び方法により、オペレーターは、アラームが発生したとき、それらの順序、関係及び優先度を見ることができ、それは、オペレーターが不可避のアラーム洪水に対処するのを支援する。
【００１０】
[0012]さらに、アラームを、アイコンを介して示すことができ、新たなアラームを、アラームトレンドリストの一番右側に示すことができる。アラームインジケーターは、経時的に右から左に移動することができ、トレンドリストのラインの左側のアラームインジケーターは履歴表示であり、右側のアラームインジケーターはリアルタイム表示である。アラームトレンドリストにおいてマウスをアラームインジケーターの上で動かし／ポイントすると、ツールチップフィールドが、完全なタグ名を含む完全なアラーム記述を表示することができる。タグ名を、リアルタイム提示領域においてアラームに対して示すことができる。
【００１１】
[0013]さらに、アラームトレンドリストは、各行に対するグレーの帯、色の選択肢及びフォントスタイル／サイズを含むことができ、それによりロケーションの分離が改善する。アラームトレンドリストはまた、アラームタイプ（たとえば、Ｄｅｖ、ＬｏＬｏ、Ｌｏ、Ｈｉ、ＨｉＨｉ）を含むことも可能であり、それは、最新のアラームに対し、アラーム優先度記号に埋め込まれたｄ、Ｄ、Ｌ、ｌ、ｈ及びＨとしてそれぞれ示される。アラームトレンドリストは、アラームのパラメーターの定性的アラーム状態を経時的に表示することができる。一番右側の一組の定性的トレンド矢印は、アラームトレンドリストの行において最後にアラームが発せられたパラメーターの定性的方向を示すことができる。
【００１２】
[0014]別々の図全体を通して同様の参照数字が同一か又は機能的に類似する要素を指し、本明細書に組み込まれかつその一部を形成する添付図面は、本発明をさらに例示し、本発明の詳細な説明と共に、本発明の原理を説明する役割を果たす。
【図面の簡単な説明】
【００１３】
【図１】[0015]本発明を具現化することができるコンピューターシステムの概略図である。
【図２】[0016]本発明を実施するためのオペレーティングシステム、アプリケーションソフトウェア及びユーザーインターフェースを含むソフトウェアシステムの概略図である。
【図３】[0017]本発明の態様を実装することができるデータ処理システムのネットワークのグラフィカルな図である。
【図４】[0018]本発明を展開することができるコンピューターネットワーク環境の概略図である。
【図５】[0019]好ましい一実施形態による、アラームトレンドサマリー表示アプリケーションのアプリケーションウィンドウの画面表示を示す図である。
【図６】[0020]好ましい一実施形態による、代替的なユーザーインターフェースの画面表示を示す図である。
【図７】[0021]好ましい一実施形態による、アラームトレンドサマリー表示アプリケーションを利用するアラームトレンドサマリー表示方法のフローチャートである。
【発明を実施するための形態】
【００１４】
[0022]これらの限定しない例で論じる特定の値及び構成は、変更することが可能であり、少なくとも１つの実施形態を例示するためにのみ引用されており、こうした実施形態の範囲を限定するように意図されていない。
【００１５】
[0023]図１〜図３を、本発明の実施形態を実装することができるデータ処理環境の例示的な図として提供する。図１〜図３に示す構成は単に例示的なものであり、本発明の態様又は実施形態を実装することができる環境に関していかなる限定も主張又は示唆するようには意図されていない、ということが理解されるべきである。記述する環境に対する多くの変更を、本発明の趣旨及び範囲から逸脱することなく行うことができる。
【００１６】
[0024]図１に示すように、本発明を、中央処理装置１０１、主記憶装置１０２、入出力コントローラー１０３、キーボード１０４、ポインティングデバイス１０５（たとえば、マウス、トラックボール、ペンデバイス等）、表示装置１０６及び大容量記憶装置１０７（たとえばハードディスク）を備えるデータ処理装置１００に関連して具現化することができる。要求に応じて、データ処理装置１００に、印刷装置１０８等の追加の入出力装置を含めることができる。図示するように、データ処理装置１００のさまざまな構成要素は、システムバス１１０又は同様のアーキテクチャを介して通信する。アラームトレンドサマリープログラミングソフトウェア１１１を、主記憶装置１０２に格納することができ、中央処理装置１０１が実行することができる。データ処理装置１００は、設計の考慮事項に応じて、サーバー又は相互接続されたサーバー群を含むことができる。たとえば、データ処理装置１００は、たとえば図３に示すサーバー３０４及び３０６等のサーバーを含むことができる。
【００１７】
[0025]図２に示すように、図１のデータ処理装置１００の動作を指示するコンピューターソフトウェアシステム１５０が提供される。システムメモリ１０２及びディスクメモリ１０７に格納されるソフトウェアシステム１５０は、概して、カーネル又はオペレーティングシステム１５１及びシェル又はインターフェース１５３を含む。アラームトレンドサマリーアプリケーションソフトウェア１５２等のアラームトレンドサマリープログラミングを含む１つ又は複数のアプリケーションプログラムを、データ処理装置１００が、実行するために「ロードする」（すなわち、記憶装置１０７からメモリ１０２に転送する）ことができる。データ処理装置１００は、ユーザーインターフェース１５３を介してユーザーコマンド及びデータを受け取り、その後、これら入力に対して、データ処理装置１００が、オペレーティングモジュール１５１及び／又はアプリケーションモジュール１５２からの命令に従って作用することができる。
【００１８】
[0026]好ましくはグラフィカルユーザーインターフェース（ＧＵＩ）として実装されるインターフェース１５３もまた、結果を表示するのに役立ち、そこで、ユーザーは、追加の入力を供給するか又はセッションを終了させることができる。いくつかの実施形態では、オペレーティングシステム１５１及びインターフェース１５３を、Ｗｉｎｄｏｗｓ（登録商標）ベースのシステム又は別の適切なコンピューターオペレーティングシステムと関連して実装することができる。Ｗｉｎｄｏｗｓ（登録商標）は、Ｍｉｃｒｏｓｏｆｔ  Ｃｏｒｐｏｒａｔｉｏｎの登録商標である。一方、アプリケーションモジュール１５２は、本明細書においてさまざまなコンポーネントに関して説明するさまざまな動作等の命令、及びたとえば図６に示す方法６００等、本明細書に示すモジュールを含むことができる。
【００１９】
[0027]図３は、本発明の態様を実装することができるデータ処理システム３００のネットワークのグラフィカルな図を示す。ネットワークデータ処理システム３００は、本発明の実施形態を実装することができるコンピューターのネットワークである。システム３００を、アラームトレンドサマリープログラミングを含むアプリケーションソフトウェア１５２等のソフトウェアモジュールと関連して実装することができることに留意されたい。システム３００は、１つ又は複数のクライアント３１０、３１２及び３１４と通信するネットワーク３０２を含む。ネットワーク３０２は、ネットワークデータ処理装置１００内で互いに接続されたさまざまなデバイス及びコンピューター間に通信リンクを提供するために用いられる媒体である。ネットワーク３０２は、有線通信リンク、無線通信リンク、又は光ファイバーケーブル等の接続を含むことができる。ネットワーク３０２は、１つ又は複数のサーバー３０４及び３０６とたとえばメモリ又はデータベース３０８等のメモリ記憶装置とさらに通信することができる。
【００２０】
[0028]図示する例では、サーバー３０４及びサーバー３０６が、記憶装置３０８と共にネットワーク３０２に接続している。さらに、クライアント３１０、３１２及び３１４がネットワーク３０２に接続している。これらのクライアント３１０、３１２及び３１４は、たとえば、パーソナルコンピューター又はネットワークコンピューターとすることができる。図１に示すデータ処理装置１００を、たとえば、クライアント３１０、３１２及び／又は３１４等のクライアントとすることができる。代替的に、データ処理装置１００を、設計の考慮事項に応じて、サーバー３０４及び／又は３０６等のサーバーとして実装することができる。
【００２１】
[0029]図示する例では、サーバー３０４は、ブートファイル、オペレーティングシステムイメージ及びアプリケーション等のデータをクライアント３１０、３１２及び３１４に提供する。クライアント３１０、３１２及び３１４は、この例ではサーバー３０４に対するクライアントである。ネットワークデータ処理システム３００は、さらなるサーバー、クライアント及び図示しない他のデバイスを含むことができる。特に、クライアントは、同等のコンテンツを提供するサーバーのネットワークの任意のメンバーに接続することができる。
【００２２】
[0030]図示する例では、ネットワークデータ処理システム３００は、プロトコルの伝送制御プロトコル／インターネットプロトコル（ＴＣＰ／ＩＰ）スイートを使用して互いに通信する、ネットワーク及びゲートウェイの全世界的な集まりを表すネットワーク３０２を含むインターネットである。インターネットの中心には、データ及びメッセージを転送する多数の商用、政府、教育及び他のコンピューターシステムからなる、主要ノード又はホストコンピューターの間の高速データ通信ラインのバックボーンがある。当然ながら、ネットワークデータ処理システム３００を、たとえばイントラネット、ローカルエリアネットワーク（ＬＡＮ）又は広域ネットワーク（ＷＡＮ）等、複数の異なるタイプのネットワークとして実装することもできる。図１は、一例として意図され、本発明の種々の実施形態に対するアーキテクチャを限定するものとして意図されてはいない。
【００２３】
[0031]以下の説明を、図１〜図３にそれぞれ示す、データ処理装置１００、コンピューターソフトウェアシステム１５０及びデータ処理システム３００等のデータ処理システム並びにネットワーク３０２と関連して具現化することができる、本発明の実施形態に関して提示する。しかしながら、本発明は、いかなる特定の応用又はいかなる特定の環境にも限定されない。代りに、当業者は、本発明のシステム及び方法を、データベース管理システム、ワードプロセッサ等を含む、種々のシステム及びアプリケーションソフトウェアに有利に適用することができることが分かるであろう。さらに、本発明を、Ｍａｃｉｎｔｏｓｈ、ＵＮＩＸ、ＬＩＮＵＸ等を含む種々の異なるプラットフォームで具現化してもよい。したがって、以下の例示的な実施形態の説明は、例示を目的とするものであって、限定するものとみなされない。
【００２４】
[0032]図４は、本発明が展開されるコンピューターネットワーク環境４００の概略図を示す。コンピューターネットワーク環境４００は、簡単に言えば、アラームシステムホストコンピューター４１０と、アラームトレンドサマリー表示アプリケーション４０２を備えたアラーム補助コンピューター４２０とを有することができる。アラームシステムホストコンピューター４１０は、アラームシステムホストコンピューターデータ通信リンク４６０を介して一組のプロセスコントローラー４３０と通信することができる。アラーム分析ツール補助コンピューター４２０は、アラーム分析ツール補助コンピューターデータ通信リンク４７０を介してアラームシステムホストコンピューターデータ通信リンク４６０と接触することができる。本発明の好ましい実施形態では、アラーム分析ツール補助コンピューター４２０は、コンピューターマウス４２１等のＩ／Ｏ（入出力）アクセサリを含むことができる。他のカーソル制御装置及び入力手段（たとえばキーボード等）もまた、アラーム分析ツール補助コンピューター４２０に適している。
【００２５】
[0033]アラームシステムホストコンピューター４１０は、プロセスコントローラー４３０によってアラームシステムホストコンピューターデータ通信リンク４６０を介してアラームシステムホストコンピューター４１０に発行される、アラームメッセージフレーム４０６を受信することができる。アラーム分析ツール補助コンピューター４２０は、アラーム分析ツール補助コンピューターデータ通信リンク４７０を介してアラームメッセージフレーム４０６を同時に受信することができる。受信したアラームメッセージフレーム４０６を、アラーム分析ツール補助コンピューター４２０に常駐するアラーム分析ツールアプリケーション４０４によって処理することができる。アラーム分析ツールアプリケーション４０４を事前設定することができ、それは、アラームトレンドサマリー表示アプリケーション４０２によって提供される情報に従って一組のアラームメッセージ４０８を表示することができる。
【００２６】
[0034]アラームメッセージフレーム４０６を、プロセスコントローラー４３０が、プロセスコントローラーリンク４５０を介して一組のプラント機器４４０から受信したアラーム信号４４１に応じて生成することができる。アラーム信号４４１を、範囲外検出、故障検出又はプラント機器４４０の誤動作により、プラント機器４４０から発行することができる。アラームメッセージ４０８を、プロセスコントローラー４３０に応答してアラームメッセージフレーム４０６で転送することができる。こうしたアラームメッセージ４０８を、アラームトレンドサマリー表示アプリケーション４０２が、図５に示すように、確定し、編成し、アラームトレンドリスト５０２及びアラームサマリーリスト５０４に分類することができる。
【００２７】
[0035]図５は、好ましい実施形態による、アラームトレンドサマリー表示アプリケーション４０２のアプリケーションウィンドウ５００を明らかにするスクリーンショットを示す。アプリケーションウィンドウ５００を、上述したようにＧＵＩを利用して実装し、たとえば図３に示すモジュール１５２等のソフトウェアモジュールによって提供することができる。アラームトレンドサマリー表示アプリケーション４０２は、経時的なアラームメッセージ４０８のパラメーターの定性的状態、すなわちアラーム５０６を表示することができる。図５は、標準的なサイトにおける機器エリア５０５（ロケーション）に対するアラームトレンドサマリー概念を示す。アラームの行５０８における特定の機器エリア５０５は、指定されたロケーション５０５のアラーム５０６に関するアラームサマリーリスト５０４の内容５２２に注目させかつ／又はその内容をフィルタリングすることができる。アラームトレンドサマリー表示アプリケーション４０２は、プラントにおける機器階層のいかなるレベルにもスケーラブルであり得る。アラームトレンドサマリー表示アプリケーション４０２のアプリケーションウィンドウ５００は、分散制御システム（ＤＣＳ）システム４００においてアラームサマリーリスト５０４と共に、オペレーターが注目するのに役立つ強調機能及びフィルタリング機能を用いて機能する、アラームトレンドリスト５０２を含むことができる。図１〜図６において、同一の部分又は要素は、概して同一の参照数字によって示されることに留意されたい。
【００２８】
[0036]アラームトレンドリスト５０２において、アラーム５０６を、行５０８で配置し、論理的方法によって編成することができる。アラーム５０６を、アイコンを介して示すことができ、新たなアラーム５０６をアラームトレンドリスト５０２の一番右側に示すことができる。アラームトレンドリスト５０２の各行５０８は、経時的に右から左に移動する一組のアラームインジケーター５１２を含むことができる。トレンドリスト５０２における黒い線５１４の左側のアラームインジケーター５１２は履歴表示であり、右側のアラームインジケーター５１２はリアルタイム表示である。アラームトレンドリスト５０２において特定のアラームインジケーター５１２を選択する結果、アラーム５０６が依然としてアクティブである場合、対応するアラーム記述項目５２２をアラームサマリーリスト５０４に、選択されたものとして示すことができる。
【００２９】
[0037]さらに、（図４に示すような）マウス４２１を、アラームトレンドリスト５０２のアラームインジケーター５１２の上でポイントすると、ツールチップフィールド５１６が、完全なタグ名５１８を含む完全なアラーム記述を表示することができる。タグ名５１８を、リアルタイム提示領域においてアラーム５０６に対して示すことができ、タグ名５１８は、現ポイント値、設定ポイントからのずれ等、追加の情報を含むことができる。アラームトレンドリスト５０２は、各行５０８に対するグレーの帯５１０、色の選択肢及びフォントスタイル／サイズを含むことができ、それによりロケーション５０５の分離が容易になる。アラームトレンドリスト５０２はまた、最新のアラーム５０６に対してアラーム優先度記号に埋め込まれるｄ、Ｄ、Ｌ、ｌ、ｈ及びＨとしてそれぞれ示される、アラームタイプ５２０（たとえば、Ｄｅｖ、ＬｏＬｏ、Ｌｏ、Ｈｉ、ＨｉＨｉ）を含むことも可能である。一番右側の一組の定性的トレンド矢印（図示せず）は、アラームトレンドリスト５０２の行５０８において最後にアラームを発したパラメーターの定性的方向を示すことができる。
【００３０】
[0038]図６を参照すると、アラームトレンドサマリーディスプレイの代替的な提示のスクリーンショット６００が示されている。ディスプレイ６００は、機器エリアにより、アラームの時間に基づく順序を示すことによってアラームの概要を提供する。図示するアラームトレンドディスプレイ６００は２つの主な部分、すなわちアラームトレンド概要６０２及びアラームリスト６０４を含む。アラームトレンド概要６０２は、主な機器エリア各々、たとえばＣ３スプリッター６２２に対するアラームタイムラインを含む。各アラームは、アラーム優先度（たとえば緊急優先度、高優先度又は低優先度）と共に、アラームタイプ（たとえば下限、上限、ＢａｄＰＶ等）を示すアイコンによって表される。さらに、各アラームを、短い記述子によって表すことができる。マウスオーバーにより、オペレーターは、アラームの詳細と共に長い記述を得ることができる。さらに、機器の関連する価格に対して記述子のいくつかの行を示すことができる。たとえば、ＰＧＣ／Ｏ２機器には４つの行６０５が列挙されている。アラームリストペイン６０４を、図示するように従来のアラームリスト６１０の形態で提供することができるが、より容易に読み取ることができるように再編成することができ、そこでは、デフォルトとして最新のアラームが最上部に列挙され、アラームは他のより新たなアラームが入るとリストを下方に移動する。
【００３１】
[0039]オペレーターは、ディスプレイを観察することにより、アラームトレンドウィンドウの機器行において最も重大なプロセス状態を容易に見つけることができる。アラーム優先度（低優先度、高優先度又は緊急優先度）、アラームのタイプ（Ｌｏ−Ｌｏ限界超過、Ｈｉ−Ｈｉ超過、ＢａｄＰＶ等）、アラームステータス（アクティブか否か、未確認（フルカラー及び点滅）、アクティブ、確認済み（ハーフカラー及び点滅なし）又はアクティブ、正常に復帰（白色及び点滅））を示すアイコンを使用されたい。オペレーターは、以下のうちの１つ又は複数を見ることにより最も重大なアラーム状態を特定することができる。すなわち、最高優先度、未確認アラーム（依然として点滅）、最も未確認アラームのある機器エリア、及び未確認アラームのある最も重大な機器エリアである。短い記述子もまた、最も重大なアラーム（複数可）を特定するのに役立つべきである。
【００３２】
オペレーターは、最も重大なアラーム状態を特定した後、その機器エリアに対してそのアラーム又はアラームのパターンを見ることにより、アラームトレンドウィンドウと重大なアラーム状態に関連するアイコン及び短い記述子とを見ることによって、アラームのパターンを観察することにより採るべき動作を決めることができる。アイコン及び短い記述子よりさらなる情報が必要である場合、オペレーターは、重大なアラーム又はアラーム群の上にマウスオーバーすることにより、アラームリストで通常得ることができる長い記述を有するポップアップメニューを得ることができる。アラーム群又はアラームのバーストがあるとき、オペレーターは、通常、単一アラームには応答するべきではなく、代りに、２つ以上のアラームがある場合はそれらアラームのパターンを探し、アラーム群を発生している基本となるプロセス状態に応答することができる。代替的に、オペレーターは、アラームトレンドウィンドウのその機器エリアをクリックすることにより、重大なアラーム状態を有する機器エリアに関するアラームリストに注目することができる。オペレーターは制御動作を行っている間、サマリー情報を監視し続けることにより、別の機器エリアに対して他のより重大なアラームが入ってきていないことを確認することができる。別の機器エリアにおいてより重大なアラーム状態が発生した場合、オペレーターは、そのより重大なアラーム状態に対してアラーム応答手順を繰り返すことができる。必要な制御動作が完了した後、オペレーターが対処したばかりの１つ又は複数のアラームを確認されたい。オペレーターが適切な制御動作を行った後にアラームを確認することが重要であり、それにより、アラーム洪水の状況の間にアラームにより容易に追い付くことができる。その機器エリアに対するアラーム群を確認するために、オペレーターは、マウスオーバー及び右クリックを行うことができ、それにより、ポップアップテキストボックスに「確認クラスター」ボタンが表示される。ポップアップテキストボックスの「確認クラスター」ボタンをクリックすることにより、システムは、ポップアップボックスのすべてのアラームを確認することができる。その機器エリアがアラームリストにある場合、オペレーターは、アラームリストの下の「確認ページ」ボタンをクリックすることができる。オペレーターは、１つのアラームを確認するために、アラームトレンドビューにおいて特定の機器エリアをクリックすることにより、その特定のの機器エリアのアラームリストに注目し、その後、確認したい１つのアラームの行の「Ａｃｋ」ボタンをクリックすることができる。オペレーターが適切な制御動作を行ったアラーム状態において１つ又は複数のアラームを確認した後、オペレーターは、新たなサマリーディスプレイのサマリー情報に戻り、アラーム応答手順全体を繰り返すことができる。
【００３３】
[0040]図７は、好ましい実施形態による、アラームトレンドサマリー表示アプリケーション４０２を利用するアラームトレンドサマリー表示方法７００を示す動作のフローチャートを示す。方法７００を、プログラム製品を含むコンピューター使用可能媒体と関連して実装することができることに留意されたい。図７に示す方法７００を、プログラム製品を含むコンピューター使用可能媒体に実装することも可能である。ブロック７１０に示すように、アラームトレンドリスト５０２を、オペレーターが集中するのに役立つように強調機能及びフィルタリング機能を用いて、アラームサマリーリスト５０４と共に操作することができる。ブロック７２０に示すように、アラームトレンドリスト５０２における１組の行５０８を、上から下に編成することができる。各行５０８は、視覚的確認及び知覚のためにグレーの帯５１０、色の選択肢及びフォントスタイル／サイズを含むことができる。アラームトレンドリスト５０２は、ロケーション５０５毎に２つ又は３つの行５０８を含むことができ、それにより、アラームレートがスロットリングアルゴリズムを介して可能である場合、高優先度アラーム５０６に対して上位行５０８、中間優先度アラーム５０６及び低優先度アラーム５０６に対して下位行５０８を用いる等、アラーム５０６のより優れた編成が可能になる。
【００３４】
[0041]アラームトレンドリスト５０２における編成された行５０８は、プラントプロセスフロー又は地理的配置を直観的に反映することができ、それを、最大１０の機器エリア５０５に対して間隔を空けて配置することができる。ブロック７３０に示すように、アラームトレンドリスト５０２の各行５０８における一組のアラームインジケーター５１２を、右から左の水平な配列方法で配置することができる。アラームトレンドリスト５０２の底部の水平スクロールは、アラームトレンド５０６の履歴部分に対し時間的に、すなわち分により、戻すか又は進めることができる。アラームトレンドリスト５０２は、ズームイン／アウト機能、関心領域を画定するフィールド及び事前設定された時間枠を含む、アラーム５０６に対するタイムスケールを操作する機能を提供することができる。
【００３５】
[0042]ブロック７４０に示すように、アラームインジケーター５１２の組を、最新のアラーム５０６がアラームトレンドリスト５０２の右側に現れるように整列させることができる。アラーム５０６を、機器階層のいかなるレベルにもスケーラブルであるように、ポイントではなく、シフト、機器エリア、プラント又はサイト等のロケーションによって論理的に編成することができる。ブロック７５０に示すように、アラームトレンドリスト５０２において特定のアラームインジケーター５１２を選択することができ、それにより、アラーム５０６がアクティブである場合、アラームサマリーリスト５０４において対応するアラーム記述項目５２２を強調することができる。したがって、方法７００により、オペレーターは、アラーム５０６が発生したとき、それらの順序、関係及び優先度を見ることができ、それはオペレーターが不可避のアラーム洪水に対処するのを支援する。
【００３６】
[0043]図１〜図７に関して本明細書で説明したそれぞれの方法及び／又はモデルを、プログラム製品を含むコンピューター使用可能媒体と関連して実装することができる。本発明に関する機能を定義するプログラムを、限定なしに、書込み不可能な記憶媒体（たとえばＣＤ−ＲＯＭ）、書込み可能な記憶媒体（たとえば、ハードディスクドライブ、読取り／書込みＣＤ  ＲＯＭ、光媒体）、限定されないがランダムアクセスメモリ（ＲＡＭ）等のシステムメモリ、並びにイーサネット、インターネット、無線ネットワーク及び同様のネットワークシステムを含むコンピューターネットワーク及び電話ネットワーク等の通信媒体を含む、種々の信号保持媒体を介して、データ記憶システム又はコンピューターシステムに供給することができる。たとえば、システム３００は、設計の考慮事項に応じて、「インターネット」等のネットワークを表すことができる。
【００３７】
[0044]したがって、こうした信号保持媒体は、本発明における方法機能を指示するコンピューター可読命令を保持又は符号化するとき、本発明の代替的な実施形態を表すことが理解されるべきである。さらに、本発明を、本明細書で述べたようなハードウェア、ソフトウェア若しくはソフトウェア及びハードウェアの組合せ又はそれらの等価物の形態である手段を有するシステムにより実装することができることが理解される。したがって、図１〜図７に関して本明細書で説明した方法及びモジュールを、本明細書において図１〜図３において説明したもののようなコンピューターシステム若しくはデータ処理システム、又は他のデータ処理装置、ネットワーク及びシステムと関連して、プロセスソフトウェアとして展開することができる。
【００３８】
[0045]本発明を、特に、好ましい実施形態に関連して示し説明したが、当業者には、本発明の趣旨及び範囲から逸脱することなく、そこに形態及び詳細のさまざまな変更を行うことができることが理解されよう。さらに、明細書及び添付の特許請求の範囲で用いる「コンピューター」又は「システム」又は「コンピューターシステム」又は「コンピューティングデバイス」という用語は、限定されないが、パーソナルコンピューター、サーバー、ワークステーション、ネットワークコンピューター、メインフレームコンピューター、ルーター、スイッチ、携帯情報端末（ＰＤＡ）、電話、及びデータを処理し、送信し、受信し、取り込み、かつ／又は格納することができる他の任意のシステムを含む、任意のデータ処理システムを含む。
【００３９】
[0046]上に開示した特徴及び機能並びに他の特徴及び機能の変形、又はそれらの代替物を、望ましく組み合わせて、他の多くの異なるシステム又はアプリケーションにすることもできることが理解されよう。また、以下の特許請求の範囲によって包含されるようにも意図されている、そのさまざまな現時点で予測できないか又は予期されない代替物、変更、変形又は改善を、当業者は後に作成することができる。
【図１】
2012513066.tif 000003
【図２】
2012513066.tif 000004
【図３】
2012513066.tif 000005
【図４】
2012513066.tif 000006
【図５】
2012513066.tif 000007
【図６】
2012513066.tif 000008
【図７】
2012513066.tif 000009
【国際調査報告】
2012513066.tif 000010
2012513066.tif 000011
2012513066.tif 000012